(57)【要約】【課題】エレベータの制御部への配線を要することなく、また、監視センタとの常時通信を要することなく、かご内釦の固渋状態を検出できるようにする。【解決手段】本発明は、エレベータの乗かご１内の釦、例えばかご呼び釦３と開閉釦５を撮影するかご内カメラ６と、このかご内カメラ６で撮影したかご呼び釦３、開閉釦５の映像に基づいて、これらのかご呼び釦３、開閉釦５の点灯状態を検出する乗かご内釦の点灯検出装置において、かご内カメラ６で撮影されたかご呼び釦３、開閉釦５の映像に基づいて、かご呼び釦３、開閉釦５が所定時間を超えて点灯しているかどうか判定する判定部７と、この判定部７で所定時間を超えてかご呼び釦３、開閉釦５が点灯していると判定されたときに、監視センタ１０にかご呼び釦３、または開閉釦５の異常、すなわち固渋の発生を通報する通信装置とを備えている。【選択図】図１
2016060565.tif 000002
【特許請求の範囲】
【請求項１】
エレベータの乗かご内の釦を撮影するかご内カメラと、このかご内カメラで撮影した前記釦の映像に基づいて前記釦の点灯状態を検出する乗かご内釦の点灯検出装置において、
前記かご内カメラで撮影された前記釦の映像に基づいて、前記釦が所定時間を超えて点灯しているかどうか判定する判定部と、この判定部で前記所定時間を超えて前記釦が点灯していると判定されたときに、前記エレベータの外部の所定場所に前記釦の異常発生を通報する通信装置とを備えたことを特徴とする乗かご内釦の点灯検出装置。
【請求項２】
請求項１に記載の乗かご内釦の点灯検出装置において、
前記釦が、かご呼び釦と開閉釦とを含み、
前記判定部が、前記かご呼び釦の点灯状態が第１の所定時間を超えて点灯しているかどうか判定する第１判定手段と、前記開閉釦の点灯状態が第２の所定時間を超えて点灯しているかどうか判定する第２判定手段とを含み、
前記通信装置は、前記第１判定手段が前記第１の所定時間を超えて前記かご呼び釦が点灯していると判定した場合、及び前記第２判定手段が前記第２の所定時間を超えて前記開閉釦が点灯していると判定した場合のうちの少なくとも一方の場合に、前記エレベータの外部の所定場所に前記釦の異常発生を通報する処理を行うことを特徴とする乗かご内釦の点灯検出装置。
【請求項３】
請求項２に記載の乗かご内釦の点灯検出装置において、
前記かご内カメラで撮影された前記かご呼び釦と前記開閉釦の点灯状態、及び消灯状態の映像を記録する記録部を備え、
前記前記第１判定手段は、前記記録部に記録された映像に基づいて、前記かご内カメラで撮影された前記かご呼び釦の映像が点灯状態か、消灯状態かを判定する処理を行い、
前記第２判定手段は、前記記録部に記録された映像に基づいて、前記かご内カメラで撮影された前記開閉釦の映像が点灯状態か、消灯状態かを判定する処理を行うことを特徴とする乗かご内釦の点灯検出装置。
【請求項４】
請求項１〜３のいずれか１項に記載の乗かご内釦の点灯検出装置において、
前記エレベータの外部の所定場所は、前記通信装置に遠隔的に接続され、前記エレベータの状態を監視する監視センタから成ることを特徴とする乗かご内釦の点灯検出装置。
【発明の詳細な説明】
【技術分野】
【０００１】
本発明は、エレベータの乗かご内の操作盤に設けられる釦の点灯を検出する乗かご内釦の点灯検出装置に関する。
【背景技術】
【０００２】
従来、エレベータの乗かご内に設けられる操作盤の釦が固渋により、エレベータが正常に運転できない状態にあることを検出するために、乗かご内にカメラを備え、このカメラを用いてエレベータの故障を検出することが行われている。
【０００３】
例えば特許文献１には、エレベータの乗かご内に設けたカメラの映像と、エレベータの運行データとを組み合わせ、エレベータの実際の状態と、エレベータの制御部で認識している運行データとがアンマッチを生じたときに、エレベータの故障と見做すエレベータの故障検出装置が開示されている。
【０００４】
また、特許文献２には、監視センタにエレベータの正常状態の映像を保存し、乗かご内のカメラで撮影した映像と比較し、正常状態の映像とアンマッチが生じたとき、エレベータの故障と見做す昇降機監視システムが開示されている。
【先行技術文献】
【特許文献】
【０００５】
【特許文献１】特開２０１１−１１８７２号公報
【特許文献２】特開２００７−２７６９４１号公報
【発明の概要】
【発明が解決しようとする課題】
【０００６】
特許文献１に開示されたエレベータの故障検出装置では、エレベータの故障状態を検出するため、エレベータの運行データを取り込む必要がある。特に既設エレベータに設けようとする場合には、運行データの取り込みのためにエレベータの制御部とエレベータの状態を監視する装置との間で煩雑な配線作業が必要となる。
【０００７】
また、特許文献２に開示された昇降機監視システムでは、監視センタにエレベータの正常状態の映像を保存し、乗かご内のカメラで撮影した映像と比較しているが、監視センタとエレベータの状態を監視する装置との間で常に通信が発生することになる。すなわち、常時通信が可能となるネットワークを構築することが必要になる。
【０００８】
本発明は、前述した従来技術における実情からなされたもので、その目的は、エレベータの制御部への配線を要することなく、また、監視センタとの常時通信を要することなく、かご内釦の固渋状態を検出することができる乗かご内釦の点灯検出装置を提供することにある。
【課題を解決するための手段】
【０００９】
前記目的を達成するために、本発明に係る乗かご内釦の点灯検出装置は、エレベータの乗かご内の釦を撮影するかご内カメラと、このかご内カメラで撮影した前記釦の映像に基づいて前記釦の点灯状態を検出する乗かご内釦の点灯検出装置において、前記かご内カメラで撮影された前記釦の映像に基づいて、前記釦が所定時間を超えて点灯しているかどうか判定する判定部と、この判定部で前記所定時間を超えて前記釦が点灯していると判定されたときに、前記エレベータの外部の所定場所に前記釦の異常発生を通報する通信装置とを備えたことを特徴としている。
【発明の効果】
【００１０】
本発明に係る乗かご内釦の点灯検出装置は、エレベータの制御部への配線を要することなく、また、監視センタとの常時通信を要することなく、かご内釦の固渋状態を検出することができる。これにより本発明は、当該乗かご内釦の点灯検出装置の設置作業の作業工数、及び設置費用を従来よりも低減させることができる。
【図面の簡単な説明】
【００１１】
【図１】本発明に係る乗かご内釦の点灯検出装置の一実施形態の構成を示す図である。
【図２】本実施形態で実施される本処理動作の前段階で実施される準備処理動作を示すフローチャートである。
【図３】本実施形態の本処理動作を示すフローチャートである。
【発明を実施するための形態】
【００１２】
以下、本発明に係る乗かご内釦の点灯検出装置の実施の形態を図面に基づいて説明する。
【００１３】
図１は本発明に係る乗かご内釦の点灯検出装置の一実施形態の構成を示す図である。
【００１４】
図１に示すように、エレベータの乗かご１は、内部に操作盤２を備えている。この操作盤２には、点灯・消灯機能を備えた釦、すなわち行先階の階床数字を刻印したかご呼び釦３と、開閉矢印を刻印した開閉釦５とが設けられている。この開閉釦５は乗かご１のかご扉４の開閉を操作するときに用いられる。
【００１５】
本実施形態に係る乗かご内釦の点灯検出装置は、乗かご１内の釦５を撮影するかご内カメラ６と、かご内カメラ６で撮影された釦の映像に基づいて、この釦が所定時間を超えて点灯しているかどうか判定する判定部７と、この判定部７で所定時間を超えて釦が点灯していると判定されたときに、当該エレベータの外部の所定場所に釦の異常（固渋）発生を通報する通信装置９とを備えている。
【００１６】
前述した乗かご１内の釦は、操作盤２に設けられるかご呼び釦３と開閉釦５とを含んでいる。前述した判定部７は、かご呼び釦３の点灯状態が第１の所定時間を超えて点灯しているかどうか判定する第１判定手段と、開閉釦５の点灯状態が第２の所定時間を超えて点灯しているかどうか判定する第２判定手段とを含んでいる。前述した通信装置９は、判定部７の第１判定手段が第１の所定時間を超えてかご呼び釦３が点灯していると判定した場合、及び第２判定手段が第２の所定時間を超えて開閉釦５が点灯していると判定した場合のうちの少なくとも一方の場合に、エレベータの外部の所定場所に釦の異常発生を通報する処理を行う。
【００１７】
また、本実施形態は、かご内カメラ６で撮影されたかご呼び釦３と開閉釦５の点灯状態、及び消灯状態の映像を記録する記録部８を備えている。判定部７の第１判定手段は、記録部８に記録された映像に基づいて、かご内カメラ６で撮影されたかご呼び釦３の映像が点灯状態か、消灯状態かを判定する処理を行い、第２判定手段は、記録部８に記録された映像に基づいて、かご内カメラ６で撮影された開閉釦５の映像が点灯状態か、消灯状態かを判定する処理を行う。
【００１８】
また、前述したエレベータの外部の所定場所は例えば、通信装置９に遠隔的に接続され、エレベータの状態を監視する監視センタ１０から成っている。
【００１９】
図２は、本実施形態で実施される本処理動作の前段階で実施される準備処理動作を示すフローチャート、図３は、本実施形態の本処理動作を示すフローチャートである。
【００２０】
［準備処理動作］
図２のステップＳ１では、かご呼び釦３と開閉釦５の状態を判定するため、かご内カメラ６が撮影したこれらのかご呼び釦３と開閉釦５の点灯状態、消灯状態、あるいは判別不能状態の映像を記録部８に記録する。この記録部８における記録によって、判別部７でかご呼び釦３と開閉釦５の状態が、点灯、消灯、判別不能のいずれかの状態にあるかを判定することができる。
【００２１】
次のステップＳ２では、かご呼び釦３の異常、すなわち固渋を判定するための連続点灯時間を、第１の所定時間として設定する。この第１の所定時間は、例えば最下階から最上階までの乗かご１の走行時間よりも長い時間に設定する。
【００２２】
次のステップＳ２では、開閉釦５の異常、すなわち固渋を判定するための連続点灯時間を、第２の所定時間として設定する。開閉釦５は、乗かご１の乗客が押さない限り点灯しないものであり、長時間点灯状態が継続されたときには開閉釦５は固渋していると判定される。第２の所定時間は、かご扉４の間口寸法により異なるが、例えばかご扉４の開閉に要する時間よりも長い時間に設定する。
【００２３】
［本処理動作］
はじめに、かご呼び釦３の固渋検出について説明する。図３のステップＳ１１において、判定部７は、かご内カメラ６の映像信号が入力された際に、記録部８に記録された映像に基づいて、かご呼び釦３が点灯状態にあるかどうか判定する。かご呼び釦３が点灯していた場合（ステップＳ１１でＹＥＳ）、ステップＳ１２に進む。かご呼び釦３の点灯状態が確認できない場合（ステップＳ１１でＮＯ）、すなわち消灯状態の場合、または例えば乗客が操作盤２の前に立っていてかご内カメラ６では点灯、消灯を確認できない等の判別不能状態の場合は、ステップＳ１４に進む。
【００２４】
前述したステップＳ１２では、かご呼び釦３の点灯時間が図２のステップＳ２で設定された第１の所定時間を超えたかどうか判定する。かご呼び釦３の点灯時間が第１の所定時間を超えた場合（ステップＳ１２でＹＥＳ）、ステップＳ１３に進む。かご呼び釦３の点灯時間が第１の所定時間を超えない場合（ステップＳ１２でＮＯ）は、ステップＳ１４に進む。
【００２５】
次に、開閉釦５の固渋検出について説明する。図３のステップＳ１４において、判定部７は、かご内カメラ６の映像信号が入力された際に、記録部８に記録された映像に基づいて、開閉釦５が点灯状態にあるかどうか判定する。開閉釦５の点灯状態が確認できない場合（ステップＳ１４でＮＯ）、すなわち消灯状態の場合、または例えば乗客が操作盤２の前に立っていてかご内カメラ６では点灯、消灯を確認できない等の判別不能状態の場合は、ステップＳ１１に戻る。
【００２６】
開閉釦３が点灯している場合（ステップＳ１４でＹＥＳ）、ステップＳ１５において、開閉釦５の点灯時間が図２のステップＳ３で設定された第２の所定時間を超えたかどうか判定する。開閉釦３の点灯時間が第２の所定時間を超えた場合（ステップＳ１５でＹＥＳ）、ステップＳ１３に進む。開閉釦５の点灯時間が第２の所定時間を超えない場合は、ステップＳ１１に戻る。
【００２７】
ステップＳ１３において、かご呼び釦３の点灯時間が第１の所定時間を超えた場合、または、開閉釦５の点灯時間が第２の所定時間を超えた場合は、かご呼び釦３または開閉釦５に固渋を発生している状態にある。これらの場合には、かご内釦の固渋を生じていることを、通信装置９を介して監視センタ１０に異常通報されて、処理を終了する。
【００２８】
以上の検出ステップによって、エレベータの図示しない制御部への配線を要することなく、また、監視センタ１０との常時通信を要することなく、かご呼び釦３及び開閉釦５の固渋状態を検出することができる。これにより本実施形態は、当該本実施形態に係る乗かご内釦の点灯検出装置の設置作業の作業工数、及び設置費用を低減させることができる。
【符号の説明】
【００２９】
１    乗かご
２    操作盤
３    かご呼び釦
４    かご扉
５    開閉釦
６    かご内カメラ
７    判定部
８    記録部
９    通信装置
１０  監視センタ
【図１】
2016060565.tif 000003
【図２】
2016060565.tif 000004
【図３】
2016060565.tif 000005